(57)【要約】      （修正有）【課題】反発性を有する板状のシートの厚みを増すことなく強度を確保し、安定してかつらを載置できるとともに、簡単な構造で組立て及び分解が容易で携帯性及び耐久性に優れ、且つ通気性に優れ毛髪の巻込み防止をも図れるかつらスタンドを提供する。【解決手段】内側中央部分に形成されたウィッグ受け部１１０と、このウィッグ受け部１１０の両端部にて一体的となるよう形成され当該ウィッグ受け部１１０を囲繞するよう設けられた台座部１２０とを具備する１枚の反発性を有する板状のシートであって、上記台座部１２０には上記ウィッグ受け部１１０と一体的に形成された部位とは異なる部位に接続機構１３０が設けられ、この接続機構１３０が接続状態にあるときは上記ウィッグ受け部１１０は上方に指向するよう湾曲するよう構成した。【選択図】図３
0003182151.tif 000002
【実用新案登録請求の範囲】
【請求項１】
内側中央部分に形成されたウィッグ受け部と、
このウィッグ受け部の両端部にて一体的となるよう形成され、当該ウィッグ受け部を囲繞するよう設けられた台座部とを具備する１枚の反発性を有する板状のシートであって、
上記台座部には、上記ウィッグ受け部と一体的に形成された部位とは異なる部位に接続機構が設けられ、
この接続機構が接続状態にあるときは、上記ウィッグ受け部は上方に指向するよう湾曲するよう構成したことを特徴とするかつらスタンド。
【請求項２】
上記接続機構は複数の切込み部を有し、隣接する切込み部同士が係合することにより接続状態になるよう構成したことを特徴とする請求項１記載のかつらスタンド。
【請求項３】
上記接続機構はホック部及びホック受け部を有し、隣接するホック部とホック受け部とが嵌合することにより接続状態になるよう構成したことを特徴とする請求項１記載のかつらスタンド。
【請求項４】
上記ウィッグ受け部には、ストッパー受け部が形成されていることを特徴とする請求項１、請求項２または請求項３記載のかつらスタンド。
【請求項５】
上記ストッパー受け部は、上記ウィッグ受け部の周縁部近傍に形成されていることを特徴とする請求項４記載のかつらスタンド。
【請求項６】
上記ストッパー受け部は、上記ウィッグ受け部の周縁部近傍の他に中央部位にも形成されていることを特徴とする請求項５記載のかつらスタンド。
【請求項７】
弓状の爪片部及びこの爪片部が挿脱自在に挿し込まれる爪片受け部が設けられた蓋部と、
弓状の爪片部及びこの爪片部が挿脱自在に挿し込まれる爪片受け部が設けられ、組立てられた際、上記台座部が載置され当該台座部と略同等の形状と大きさとなる底面部と、
この底面部及び上記蓋部と一体的に形成された側面部と
を有する１枚の反発性を有する板状のシートからなるケース体を具備したことを特徴とする請求項１乃至請求項６のいずれか一項に記載のかつらスタンド。
【請求項８】
上記爪片受け部は、上記爪片部が挿し込まれると当該爪片部の反発力を抑制するよう構成されることを特徴とする請求項７記載のかつらスタンド。
【請求項９】
上記蓋部には複数の爪片部及び爪片受け部が形成され、当該爪片部が爪片受け部に挿し込まれた場合、当該爪片部及び爪片受け部が形成されない蓋部の他の部分は、下部側に位置して当該爪片部及び爪片受け部を覆うような状態になるよう構成したことを特徴とする請求項７または請求項８記載のかつらスタンド。
【請求項１０】
上記蓋部には爪片部及び爪片受け部が一つずつ形成され、
上記蓋部に形成される爪片受け部は上記側面部との境界近傍に形成され、
この爪片受け部が挿し込まれる爪片部が形成される蓋部を構成する部分片は、当該蓋部を構成する他の部分片よりも大きくなるよう構成したことを特徴とする請求項７または請求項８記載のかつらスタンド。
【請求項１１】
上記ウィッグ受け部と上記台座部とが一体的に形成された部位に、スリット部を形成したことを特徴とする請求項１乃至請求項１０のいずれか一項に記載のかつらスタンド。
【考案の詳細な説明】
【技術分野】
【０００１】
本考案は、反発性を有する板状のシートを折り曲げることにより組立てるかつらスタンド、特に、シートの反発特性を活かすとともに、容易に組立て及び分解が可能なかつらスタンドに関する。
【背景技術】
【０００２】
従来、かつら等を載置したり収納したりする器具については、例えば組立て式収納ケース等、種々の提案がなされている。
【０００３】
特開２００８−１１４９２２号公報（下記特許文献１）には、シートを折り目に従って折り曲げて収納ケース用の部材とし、この部材に形成された係合部及び被係合部が相互に係合して組立てられる組立て式収納ケースであって、断面が円形または多角形であり収納物を覆う筒状の本体と、上記収納物を載せる支柱とを有し、この支柱がシートを折り目に従って折り曲げた部材に形成された係合部及び被係合部が相互に係合して組立てられることにより、例えば厚さ１ｍｍ未満の素材を用いても変形し難く、収納ケース本体だけでなく収納物を載せる支柱を折り畳んでコンパクトにして搬送することができるうえ、使わないときに収納スペースを節約できる組立て式収納ケースが提案されている。
【０００４】
しかし、特許文献１に記載された収納ケースは、シートを折り目に従って折り曲げる組立て式収納ケースではあるが、これに用いる支柱（かつらスタンド）は、Ｌ字状に折り曲げた２枚のシートを組合せるため、上下方向から挟み込んで固定する必要があるうえ、強度を確保するために厚みが０．８ｍｍ以上の樹脂シートを使用する必要があった。但し、強度を重視し過ぎるとその分厚みも厚くなり、重くなり、また樹脂シートの反発性から組立て性が悪くなる虞があった。
【０００５】
この特許文献１の改良を図ったものとして、特開２０１２−１７５４６号公報（下記特許文献２）が提案されている。このかつらスタンドは、特許文献１の不具合を改善してはあるが、構造的にやや複雑な様相を呈すものである。
【０００６】
実用新案登録第３０５４４６８号公報（下記特許文献３）には、底面部内面にかつら用台座を固定するための固定部材が設けられているかつら収納ケースが開示されている。このかつら収納ケースは、１枚のシートを、これに形成された折り目に沿って折り曲げることにより組立てられるものである。
【０００７】
また特開２００１−３２１７号公報（下記特許文献４）には、未使用時にはコンパクトに折り畳むことのできるかつら収納ケースが開示されている。しかし、これらの収納ケースはかつらを載置する支柱を収納して持ち運ぶ際に使用するものであり、組立て式の支柱自体は、これらには一切開示されていない。
【０００８】
実開平７−１５７２６号公報（下記特許文献５）には、ケース本体と蓋体からなり、収納物品の載置台をケース本体の底部に設けたかつらなどの収納ケースが開示されている。また特開２００２−１５５４１３号公報（下記特許文献６）には、かつらを保持する保持部からなる携帯用かつら保持具とこれを収納する収納ケースが開示されている。しかし、これらに開示されている載置台や保持具、及び収納ケースは組立て式のものではなく、これを保管するためには広い収納スペースが必要であり、また搬送が煩雑であった。
【０００９】
特開２００３−４７５４４号公報（下記特許文献７）には、所定の柱状の形状に組立て可能な本体部と、本体部の所定の部位に係止されるフランジ部とからなるかつら載置用スタンドが開示されている。しかしこのかつら載置スタンドは、組立てた際に中が空洞の柱状となることから安定性が悪く、別途固定部材を設けたりする必要があった。
【００１０】
実開昭５２−１０４８４号公報（下記特許文献８）には、底部材とこれに装着される折り畳み自在な支持部材からなるかつら等の収納容器が開示されている。この収納容器は合成樹脂等の素材を基材とし、これに形成された折れ線に沿って組立てて使用するものである。しかし、この収納容器を形成する支持部材は略四角形の筒状であり、中が空洞となっていることから安定性が悪く、また強度を保つためには基材の厚みを厚くする必要があった。
【００１１】
実開昭５７−２８５９号公報（下記特許文献９）には、平面Ｖ型、Ｗ型等の２つの台脚素材の上半部または下半部に設けられた縦切条同士を係合して組立てる、陳列台の補強台脚が開示されている。しかしこの補強台脚は２つの台脚素材を組合せるために、上下若しくは左右方向からこれを固定する必要があった。
【先行技術文献】
【特許文献】
【００１２】
【特許文献１】特開２００８−１１４９２２号公報
【特許文献２】特開２０１２−１７５４６号公報
【特許文献３】実用新案登録第３０５４４６８号公報
【特許文献４】特開２００１−３２１７号公報
【特許文献５】実開平７−１５７２６号公報
【特許文献６】特開２００２−１５５４１３号公報
【特許文献７】特開２００３−４７５４４号公報
【特許文献８】実開昭５２−１０４８４号公報
【特許文献９】実開昭５７−２８５９号公報
【考案の開示】
【考案が解決しようとする課題】
【００１３】
本考案は、上記事情を考慮してなされたもので、上述の不具合を解消し、反発性を有する板状のシートの厚みを増すことなく強度を確保し、安定してかつらを載置できるとともに、簡単な構造で組立て及び分解が容易で携帯性及び耐久性に優れたかつらスタンドを提供することを目的とする。
また、本考案は、かつらの湿気を考慮した通気性に優れ、毛髪の巻込み防止をも図れるかつらスタンドを提供することを目的とする。
【課題を解決するための手段】
【００１４】
本考案は、上記目的を達成するために以下の通りの構成とすることを特徴とする。
【００１５】
（１）内側中央部分に形成されたウィッグ受け部と、このウィッグ受け部の両端部にて一体的となるよう形成され当該ウィッグ受け部を囲繞するよう設けられた台座部とを具備する１枚の反発性を有する板状のシートであって、上記台座部には上記ウィッグ受け部と一体的に形成された部位とは異なる部位に接続機構が設けられ、この接続機構が接続状態にあるときには上記ウィッグ受け部は上方に指向するよう湾曲するよう構成した。
【００１６】
（２）上記（１）の構成にあって、上記接続機構は複数の切込み部を有し、隣接する切込み部同士が係合することにより接続状態になるよう構成した。
【００１７】
（３）上記（１）の構成にあって、上記接続機構はホック部及びホック受け部を有し、隣接するホック部とホック受け部とが嵌合することにより接続状態になるよう構成した。
【００１８】
（４）上記（１）、（２）または（３）の構成にあって、上記ウィッグ受け部にストッパー受け部を形成するよう構成した。
【００１９】
（５）上記（４）の構成にあって、上記ストッパー受け部は、上記ウィッグ受け部の周縁部近傍に形成されるよう構成した。
【００２０】
（６）上記（５）の構成にあって、上記ストッパー受け部は、上記ウィッグ受け部の周縁部近傍の他に中央部位にも形成されるよう構成した。
【００２１】
（７）上記（１）乃至（６）の構成にあって、弓状の爪片部及びこの爪片部が挿脱自在に挿し込まれる爪片受け部が設けられた蓋部と、弓状の爪片部及びこの爪片部が挿脱自在に挿し込まれる爪片受け部が設けられ組立てられた際上記台座部が載置され当該台座部と略同等の形状と大きさとなる底面部と、この底面部及び上記蓋部と一体的に形成された側面部とを有する１枚の反発性を有する板状のシートからなるケース体を具備した構成とした。
【００２２】
（８）上記（７）の構成にあって、上記爪片受け部は、上記爪片部が挿し込まれると当該爪片部の反発力を抑制するよう形成された構成とした。
【００２３】
（９）上記（７）または（８）の構成にあって、上記蓋部には複数の爪片部及び爪片受け部が形成され、当該爪片部が爪片受け部に挿し込まれた場合、当該爪片部及び爪片受け部が形成されない蓋部の他の部分は、下部側に位置して当該爪片部及び爪片受け部を覆うような状態になるよう構成した。
【００２４】
（１０）上記（７）または（８）の構成にあって、上記蓋部には爪片部及び爪片受け部が一つずつ形成され、上記蓋部に形成される爪片受け部は上記側面部との境界近傍に形成され、この爪片受け部が挿し込まれる爪片部が形成される蓋部を構成する部分片は当該蓋部を構成する他の部分片よりも大きくなるよう形成された構成としたこと。
【００２５】
（１１）上記（１）乃至（１０）の構成にあって、上記ウィッグ受け部と上記台座部とが一体的に形成された部位に、スリット部を形成する構成とした。
【００２６】
上記構成によれば、本考案はシートの厚みを増すことなく強度を確保でき、安定してかつらを載置できる。また、簡単な構造であり、且つ組立て及び分解が容易であり、携帯性に優れるとともに耐久性にも優れるかつらスタンドを提供することができる。
【００２７】
特に、本考案は接続機構の構造がシンプルであり、取扱い性や耐久性に優れるものである。
【００２８】
また、上記ウィッグ受け部にはストッパー受け部が設けられているので、かつらの形状に影響されることなく、しっかりと適切な状態でかつらをピン等を介してウィッグ受け部に安定して載置固定することができる。しかも、ストッパー受け部によりウィッグ受け部に載置されるかつらに対する通気性の改善を図れ、衛生面での向上を図れる。
【００２９】
さらに、本考案はケース体の爪片部と爪片受け部が嵌め込み状態であっても、爪片部の反発力による隆起を防止できるものである。また、かつらの毛髪を巻き込まないような位置に爪片部と爪片受け部が形成されているので、有用且つ実用的である。
【考案の効果】
【００３０】
本考案によれば、シートの厚みを増すことなく強度を確保し、安定してかつらを載置できるとともに、簡単な構造で組立て及び分解が容易で携帯性及び耐久性に優れるという効果を奏する。
また、本考案によれば、通気性にも優れ衛生的でもあり、毛髪の巻込み防止を図れるという実用的効果を奏する。
【図面の簡単な説明】
【００３１】
【図１】本考案の第一の実施形態に係わるスタンド本体の平面図である。
【図２】同実施形態に係わり、接続機構が非接続状態にあるときのスタンド本体の斜視図である。
【図３】同実施形態に係わり、接続機構が接続状態にあるときのスタンド本体の斜視図である。
【図４】同実施形態に係わり、ケース体の展開図である。
【図５】同実施形態に係わり、蓋部が開放状態のケース体の斜視図である。
【図６】同実施形態に係わり、蓋部が閉塞状態のケース体の斜視図である。
【図７】同実施形態に係わるケース体の変形例を示す展開図である。
【図８】本考案の第二の実施形態に係わるスタンド本体の平面図である。
【図９】同実施形態に係わり、接続機構が非接続状態にあるときのスタンド本体の斜視図である。
【図１０】同実施形態に係わり、接続機構が接続状態にあるときのスタンド本体の斜視図である。
【図１１】本考案の第三の実施形態に係わるスタンド本体の平面図である。
【図１２】同実施形態に係わり、接続機構が非接続状態にあるときのスタンド本体の斜視図である。
【図１３】同実施形態に係わり、接続機構が接続状態にあるときのスタンド本体の斜視図である。
【図１４】本考案の第四の実施形態に係わるスタンド本体の平面図である。
【図１５】同実施形態に係わり、接続機構が非接続状態にあるときのスタンド本体の斜視図である。
【図１６】同実施形態に係わり、接続機構が接続状態にあるときのスタンド本体の斜視図である。
【図１７】本考案の第五の実施形態に係わるスタンド本体の平面図である。
【図１８】同実施形態に係わり、接続機構が非接続状態にあるときのスタンド本体の斜視図である。
【図１９】同実施形態に係わり、接続機構が接続状態にあるときのスタンド本体の斜視図である。
【図２０】本考案の第六の実施形態に係わるスタンド本体の平面図である。
【図２１】同実施形態に係わり、接続機構が非接続状態にあるときのスタンド本体の斜視図である。
【図２２】同実施形態に係わり、接続機構が接続状態にあるときのスタンド本体の斜視図である。
【考案を実施するための形態】
【００３２】
以下本考案の一実施形態につき、図を参照して説明する。
【００３３】
（第一の実施形態）
第一の実施形態につき、図１乃至図７を参照して説明する。本実施形態に係わるかつらスタンドのスタンド本体１００は、１枚の樹脂製シート、例えば厚さ０．７ｍｍ程度の反発性を有し折り曲げると強度が増す性質を有するポリプロピレン（ＰＰ）製のシートを折り曲げることにより組立てられるものである。即ち、図１に示すように、スタンド本体１００を形成するＰＰ製シートは、内側中央部分に形成されたウィッグ受け部１１０と、このウィッグ受け部１１０の両端部１１０ａ，１１０ｂにて一体形成され当該ウィッグ受け部１１０を囲繞するよう設けられた台座部１２０とを有するものである。
【００３４】
而して、台座部１２０は、図１中、右側部分が「コ」字状の形状である部分片１２２と、左側部分が逆「コ」字状の形状である部分片１２４とから形成されており、ウィッグ受け部１１０と一体的に形成された部位１２２ａ，１２４ａとは異なる部位１２２ｂ，１２４ｂ，１２２ｃ，１２４ｃ（図１中、上部側及び下部側）に接続機構１３０，１３０が設けられている。この接続機構１３０は、複数の切込み部１３２，１３４，１３６，１３８を有し、隣接する切込み部同士、即ち切込み部１３２と切込み部１３４、切込み部１３６と切込み部１３８が係合することにより接続状態になるよう構成されている。詳述すると、図１中、右側部分を形成する台座部１２０の部分片１２２の上部側の切込み部１３２は、外側から内側に指向して切込みが形成されており、部分片１２２の下部側の切込み部１３６は、内側から外側に指向するよう切込みが形成されている。また、左側部分を形成する部分片１２４の上部側の切込み部１３４は、内側から外側に指向して切込みが形成されており、部分片１２４の下部側の切込み部１３８は、外側から内側に指向するよう切込みが形成されている。これらの切込み部１３２，１３４，１３６，１３８を夫々係合させることにより、台座部１２０の右側の部分片１２２と左側の部分片１２４とが接続状態になり、図３に示すようにウィッグ受け部１１０は上方に指向するよう湾曲するよう構成されるものである。
【００３５】
また、ウィッグ受け部１１０と台座部１２０とが一体的に形成された部位１１０ａ，１２２ａ，１１０ｂ，１２４ａには、スリット部１４２，１４４が形成されている。即ち、ウィッグ受け部１１０の一端部１１０ａと部分片１２２との境界部位にはスリット部１４２が形成され、ウィッグ受け部１１０の他端部１１０ｂと部分片１２４との境界部位にはスリット部１４４が形成されている。このスリット部１４２，１４４は、０．７ｍｍ程度の厚さを有するＰＰ製シートを折り曲げる際に当該ＰＰの反発力を減じ、折り曲げ易くするために設けられたものである。なお、反発力が小さい素材（例えばダンボール、ボール紙）を用いる場合は、スリット部は必ずしも設けなくてもよい。
【００３６】
接続機構１３０にて接続状態にあるスタンド本体１００は、図５に示す直方体状のケース体２００に収納される。このケース本体２００について、図４乃至図６を参照して説明する。このケース本体２００は、１枚の樹脂製シート、例えば厚さ０．７ｍｍ程度の反発性を有し折り曲げると強度が増す性質を有するＰＰ製のシートを折り曲げることにより組立てられるものである。即ち、ケース体２００は、蓋部２１０、側面部２２０及び底面部２３０を有して成るものである。
【００３７】
蓋部２１０は、ケース体２００の上部を閉塞した際、下側に位置することになる蓋部下片２１２，２１２と、弓状の爪片受け部２１４ａ，２１４ａが形成され蓋部下片２１２，２１２の上側に位置することになる蓋部中片２１４と、この蓋部中片２１４の上側に位置し爪片部２１６ａ，２１６ａが形成された蓋部上片２１６とを有する。
而して、爪片部２１６ａは爪片受け部２１４ａに挿脱自在に挿し込まれるものであり、爪片受け部２１４ａは爪片部２１６ａが挿し込まれると爪片部２１６ａの反発力を抑制するよう機能する形状となっている。
なお、二つの蓋部下片２１２，２１２は、同一形状で同じ大きさとなるよう形成されている。また、蓋部上片２１６は一端縁部２１６ｂがごく緩やかな曲線形状を有するも、蓋部中片２１４と略同一形状で同じ大きさとなるよう形成されている。
【００３８】
側面部２２０は、横側面２２２，２２４と前側面２２６及び後側面２２８とからなり、ケース体２００を組立て易いように横側面２２２と前側面２２６との境界には折り曲げ線２２６ａが、前側面２２６と横側面２２４との境界には折り曲げ線２２４ａが、横側面２２４と後側面２２８との境界には折り曲げ線２２８ａが形成されている。また、横側面２２２には前側面２２６とは反対側の位置に接続片２２９が折り曲げ線２２２ａを介して一体形成されている。この接続片２２９は、ケース体２００が組立てられる際、後側面２２８の内側に位置して圧着或いは接着されることにより、横側面２２２と後側面２２８とが接続されるものである。
なお、二つの横側面２２２，２２４は同一形状で同じ大きさとなるよう形成されており、前側面２２６と後側面２２８も同一形状で同じ大きさとなるよう形成されている。
【００３９】
底面部２３０は、ケース体２００の下部を閉塞した際、上側に位置することになる底面部上片２３２，２３４と、弓状の爪片受け部２３６ａ，２３６ａが形成され底面部上片２３２，２３４の下側に位置することになる底面部中片２３６と、この底面部中片２３６の下側に位置し爪片部２３８ａ，２３８ａが形成された底面部下片２３８とを有する。
而して、爪片部２３８ａは爪片受け部２３６ａに挿脱自在に挿し込まれるものであり、爪片受け部２３６ａは爪片部２３８ａが挿し込むれると爪片部２３８ａの反発力を抑制するよう機能する形状となっている。
なお、二つの底面部上片２３２，２３４は、同一形状で同じ大きさとなるよう形成されている。また、底面部中片２３６と底面部下片２３８も、同一形状で同じ大きさとなるよう形成されている。
【００４０】
組立てられたケース体２００の底面積は、接続機構１３０が接続状態にあるスタンド本体１００が載置されるのに要する面積と略同等となるよう構成されている。
【００４１】
上記構成につき、その作用を以下に述べる。
【００４２】
スタンド本体１００の組立ては、接続機構１３０を接続状態にすればよい。即ち、隣接する切込み部１３２と切込み部１３４を、また切込み部１３６と切込み部１３８を、夫々係合させることにより接続状態にすれば、ウィッグ受け部１１０は、その中央部位を頂点として上方へ指向するよう湾曲することになる。このとき、スリット部１４２，１４４にてＰＰの反発力を減じられるので、大きな力を要すことなく、接続状態にすることができる。
ケース体２００の組立ては、先ず、折り曲げ線２２２ａ，２２４ａ，２２６ａ，２２８ａに沿って側面部２２０を折り曲げて、接続片２２９を後側面２２８の内側に位置させて圧着或いは接着により、横側面２２２と後側面２２８とを接続状態にする。次に、底面部上片２３２，２３４を底面部中片２３６の上側に位置させるとともに、底面部中片２３６の下側に底面部下片２３８を位置させて、爪片受け部２３６ａ，２３６ａに爪片部２３８ａ，２３８ａを挿し込むことにより嵌合させればよい。
斯様にして組立てられたケース体２００内にスタンド本体１００を載置して、蓋部２１０にてケース体２００の上部を閉塞すれば、即ち、蓋部中片２１４の下側に蓋部下片２１２，２１２を位置させ、蓋部中片２１４の上側に蓋部上片２１６を位置させて、爪片部２１６ａ，２１６ａを爪片受け部２１４ａ，２１４ａに挿し込むことにより嵌合させれば、スタンド本体１００はケース体２００に収納されることになる。このとき、各爪片受け部は爪片部の反発力を抑制するよう機能するので、嵌め込みによるＰＰの盛り上がりを抑制できるものである。
組立てられたケース体２００は、蓋部２１０の爪片部２１６ａ，２１６ａと爪片受け部２１４ａ，２１４ａとの嵌合状態を解除すれば、即ち爪片部２１６ａ，２１６ａを爪片受け部２１４ａ，２１４ａから引抜けば解除され、ケース体２００の上部が開放され、収納されたスタンド本体１００を容易に取り出せる。取り出したスタンド本体１００は、接続機構１３０の接続状態を解除すれば、即ち、各切込み部の係合状態を引離すことにより解除すれば、容易に平板状の状態に戻せる。また、ケース体２００は、底面部２３０の爪片部２３８ａ，２３８ａを爪片受け部２３６ａ，２３６ａから引抜けば解除され、ケース体２００底部が開放される。而して、適当に折り畳むことが可能となる。
【００４３】
上記実施形態によれば、シートの厚みを増すことなく適度な強度を確保でき、安定してかつらを載置できる。また、シンプルな構造体であり組立て及び分解が容易である。特に、接続機構の構造がシンプルであり、組立て及び分解が容易になるだけではなく、取扱い性や耐久性に優れるものである。また、スリット部にてＰＰによる反発力を減じることができるので、組立て性に優れるものである。
また、ケース体を設けることにより、携帯性に優れるとともに耐久性にも優れるかつらスタンドを提供することができる。
さらに、ケース体の爪片部と爪片受け部が嵌め込み状態であっても、爪片部の反発力による隆起を防止できるものである。また、スタンド本体に載置されるかつらの毛髪を巻き込まないような位置に爪片部と爪片受け部が形成されているので、非常に便利で有用且つ実用的である。
【００４４】
図７は、ケース体の変形例である。このケース体３００の前述ケース体２００と異なるところは、蓋部には爪片部及び爪片受け部が一つずつ形成されている点である。
即ち、ケース体３００は、１枚の樹脂製シート、例えば厚さ０．７ｍｍ程度の反発性を有し折り曲げると強度が増す性質を有するＰＰ製のシートを折り曲げることにより組立てられるものであり、蓋部３１０、側面部３２０及び底面部３３０を有してなるものである。
蓋部３１０は、ケース体３００の上部を閉塞した際、下側に位置することになる蓋部下片３１２，３１２と、弓状の爪片受け部３１４ａが一つだけ形成され蓋部下片３１２，３１２の上側に位置することになる蓋部中片３１４と、この蓋部中片３１４の上側に位置し爪片部３１６ａが一つだけ形成された蓋部上片３１６とを有する。
而して、爪片部３１６ａは爪片受け部３１４ａに挿脱自在に挿し込まれるものであり、爪片受け部３１４ａは爪片部３１６ａが挿し込まれると爪片部３１６ａの反発力を抑制するよう機能する形状となっている。なお、二つの蓋部下片３１２，３１２は、同一形状で同じ大きさとなるよう形成されている。また、蓋部上片３１６は一端部縁３１６ｂが緩やかな曲線形状を有し、蓋部中片３１４よりも２〜３倍程度の大きさとなるよう形成されている。
側面部３２０は、横側面３２２，３２４と前側面３２６と後側面３２８とからなり、ケース体３００を組立てし易いように横側面３２２と前側面３２６との境界には折り曲げ３２６ａが、前側面３２６と横側面３２４との境界には折り曲げ３２４ａが、横側面３２４と後側面３２８との境界には折り曲げ３２８ａが形成されている。また、横側面３２２には前側面３２６とは反対側の位置に接続片３２９が折り曲げ３２２ａを介して一体形成されている。この接続片３２９は、ケース体３００が組立てられる際、後側面３２８の内側に位置して圧着或いは接着されるものである。また、二つの横側面３２２，３２４は同一形状で同じ大きさとなるよう形成されており、前側面３２６と後側面３２８も同一形状で同じ大きさとなるよう形成されている。
底面部３３０は、ケース体３００の下部を閉塞した際、上側に位置することになる底面部上片３３２，３３４と、弓状の爪片受け部３３６ａ，３３６ａが二つ形成され底面部上片３３２，３３４の下側に位置することになる底面部中片３３６と、この底面部中片３３６の下側に位置し爪片部３３８ａ，３３８ａが形成された底面部下片３３８とを有する。
而して、爪片部３３８ａは爪片受け部３３６ａに挿脱自在に挿し込まれるものであり、爪片受け部３３６ａは爪片部３３８ａが挿し込まれると爪片部３３８ａの反発力を抑制するよう機能する形状となっている。また、二つの底面部上片３３２，３３４は、同一形状で同じ大きさとなるよう形成されている。また、底面部中片３３６と底面部下片３３８は、略同一形状で同じ大きさとなるよう形成されている。なお、組立てられたケース体３００の底面積は、前述ケース体２００同様に接続機構１３０が接続状態にあるスタンド本体１００が載置されるのに要する面積と略同等となるよう構成されている。
斯様なケース体３００は、前述ケース体２００と同様の作用・効果を有するものである。
【００４５】
（第二の実施形態）
第二の実施形態につき、図８乃至図１０を参照して説明する。本実施形態に係わるかつらスタンドのスタンド本体４００は、１枚の樹脂製シート、例えば厚さ０．７ｍｍ程度の反発性を有し折り曲げると強度が増す性質を有するポリプロピレン（ＰＰ）製のシートを折り曲げることにより組立てられるものである。即ち、図８に示すように、スタンド本体４００を形成するＰＰ製シートは、内側中央部分に形成されたウィッグ受け部４１０と、このウィッグ受け部４１０の両端部４１０ａ，４１０ｂにて一体形成され当該ウィッグ受け部４１０を囲繞するよう設けられた台座部４２０とを有するものである。
【００４６】
而して、台座部４２０は、図８中、右側部分が「コ」字状の形状である部分片４２２と、左側部分が逆「コ」字状の形状である部分片４２４とから形成されており、ウィッグ受け部４１０と一体的に形成された部位４２２ａ，４２４ａとは異なる部位４２２ｂ，４２４ｂ，４２２ｃ，４２４ｃ（図８中、上部側及び下部側）に接続機構４３０，４３０が設けられている。この接続機構４３０は、複数の切込み部４３２，４３４，４３６，４３８を有し、隣接する切込み部同士、即ち切込み部４３２と切込み部４３４、切込み部４３６と切込み部４３８が係合することにより接続状態になるよう構成されている。詳述すると、図８中、右側部分を形成する台座部４２０の部分片４２２の上部側の切込み部４３２は、外側から内側に指向して切込みが形成されており、部分片４２２の下部側の切込み部４３６は、内側から外側に指向するよう切込みが形成されている。また、左側部分を形成する部分片４２４の上部側の切込み部４３４は、内側から外側に指向して切込みが形成されており、部分片４２４の下部側の切込み部４３８は、外側から内側に指向するよう切込みが形成されている。これらの切込み部４３２，４３４，４３６，４３８を夫々係合することにより、台座部４２０の右側の部分片４２２と左側の部分片４２４とが接続状態になり、図１０に示すようにウィッグ受け部４１０は上方に指向するよう湾曲するよう構成されるものである。
【００４７】
また、ウィッグ受け部４１０と台座部４２０とが一体的に形成された部位４１０ａ，４２２ａ，４１０ｂ，４２４ａには、スリット部４４２，４４４が形成されている。即ち、ウィッグ受け部４１０の一端部４１０ａと部分片４２２との境界部位にはスリット部４４２が形成され、ウィッグ受け部４１０の他端部４１０ｂと部分片４２４との境界部位にはスリット部４４４が形成されている。このスリット部４４２，４４４は、０．７ｍｍ程度の厚さを有するＰＰ製シートを折り曲げる際に当該ＰＰの反発力を減じ、折り曲げ易くするために設けられたものである。なお、反発力が小さい素材（例えばダンボール、ボール紙）を用いる場合は、スリット部は必ずしも設けなくてもよい。
なお、ウィッグ受け部４１０には、他端部４１０ｂ側の周辺部近傍にストッパー受け部４５０が複数形成されている。このストッパー受け部４５０は、ウィッグ受け部４１０にかつらが載置された際、安定性を図るために使用されるクリップやピンを留めておくことができるようにするために形成されたものである。また、かつらへの通気性をよくするための通気孔としても機能するものである。
【００４８】
接続機構４３０にて接続状態にあるスタンド本体４００は、前述の図４乃至図７に示す直方体状のケース体２００，３００に収納される。このケース体２００，３００は前述同様の構成であるので、説明は省略する。
【００４９】
上記構成につき、スタンド本体４００の作用を以下に述べる。
【００５０】
スタンド本体４００の組立ては、接続機構４３０を接続状態にすればよい。即ち、隣接する切込み部４３２と切込み部４３４を、また切込み部４３６と切込み部４３８を、夫々係合させることにより接続状態にすれば、ウィッグ受け部４１０は、その中央部位を頂点として上方へ指向するよう湾曲することになる。このとき、スリット部４４２，４４４にてＰＰの反発力を減じられるので、大きな力を要すことなく、接続状態にすることができる。
ウィッグ受け部４１０にかつらを載置する場合、クリップやピン（図示せず。）をストッパー受け部４５０に向けてかつらの表面から挿し込むようにすると、安定してかつらを留めておくことができる。このようにして安定載置されたかつらは、ストッパー受け部４５０が通気孔としても機能する。
【００５１】
上記実施形態によれば、前述第一の実施形態の効果に加え、ストッパー受け部により、かつらの安定載置を実現できるとともに、通気性の改善も図れ、以って衛生面での向上を図れるものである。
【００５２】
（第三の実施形態）
第三の実施形態につき、図１１乃至図１３を参照して説明する。本実施形態に係わるかつらスタンドのスタンド本体５００は、１枚の樹脂製シート、例えば厚さ０．７ｍｍ程度の反発性を有し折り曲げると強度が増す性質を有するポリプロピレン（ＰＰ）製のシートを折り曲げることにより組立てられるものである。即ち、図１１に示すように、スタンド本体５００を形成するＰＰ製シートは、内側中央部分に形成されたウィッグ受け部５１０と、このウィッグ受け部５１０の両端部５１０ａ，５１０ｂにて一体形成され当該ウィッグ受け部５１０を囲繞するよう設けられた台座部５２０とを有するものである。
【００５３】
而して、台座部５２０は、図１１中、右側部分が「コ」字状の形状である部分片５２２と、左側部分が逆「コ」字状の形状である部分片５２４とから形成されており、ウィッグ受け部５１０と一体的に形成された部位５２２ａ，５２４ａとは異なる部位５２２ｂ，５２４ｂ，５２２ｃ，５２４ｃ（図１１中、上部側及び下部側）に接続機構５３０，５３０が設けられている。この接続機構５３０は、複数の切込み部５３２，５３４，５３６，５３８を有し、隣接する切込み部同士、即ち切込み部５３２と切込み部５３４、切込み部５３６と切込み部５３８が係合することにより接続状態になるよう構成されている。詳述すると、図１１中、右側部分を形成する台座部５２０の部分片５２２の上部側の切込み部５３２は、外側から内側に指向して切込みが形成されており、部分片５２２の下部側の切込み部５３６は、内側から外側に指向するよう切込みが形成されている。また、左側部分を形成する部分片５２４の上部側の切込み部５３４は、内側から外側に指向して切込みが形成されており、部分片５２４の下部側の切込み部５３８は、外側から内側に指向するよう切込みが形成されている。これらの切込み部５３２，５３４，５３６，５３８を夫々係合することにより、台座部５２０の右側の部分片５２２と左側の部分片５２４とが接続状態になり、図１３に示すようにウィッグ受け部５１０は上方に指向するよう湾曲するよう構成されるものである。
【００５４】
また、ウィッグ受け部５１０と台座部５２０とが一体的に形成された部位５１０ａ，５２２ａ，５１０ｂ，５２４ａには、スリット部５４２，５４４が形成されている。即ち、ウィッグ受け部５１０の一端部５１０ａと部分片５２２との境界部位にはスリット部５４２が形成され、ウィッグ受け部５１０の他端部５１０ｂと部分片５２４との境界部位にはスリット部５４４が形成されている。このスリット部５４２，５４４は、０．７ｍｍ程度の厚さを有するＰＰ製シートを折り曲げる際に当該ＰＰの反発力を減じ、折り曲げ易くするために設けられたものである。なお、反発力が小さい素材（例えばダンボール、ボール紙）を用いる場合は、スリット部は必ずしも設けなくてもよい。
なお、ウィッグ受け部５１０には、周辺部近傍及び中央部分にストッパー受け部５５０が複数形成されている。このストッパー受け部５５０は、ウィッグ受け部５１０にかつらが載置された際、載置の安定性を図るために使用されるクリップやピンを留めておくことができるようにするために形成されたものである。また、かつらへの通気性をよくするための通気孔としても機能するものである。
【００５５】
接続機構５３０にて接続状態にあるスタンド本体５００は、前述の図４乃至図７に示す直方体状のケース体２００，３００に収納される。このケース体２００，３００は前述同様の構成であるので、説明は省略する。
【００５６】
上記構成につき、その作用を以下に述べる。
【００５７】
スタンド本体５００の組立ては、接続機構５３０を接続状態にすればよい。即ち、隣接する切込み部５３２と切込み部５３４を、また切込み部５３６と切込み部５３８を、夫々係合させることにより接続状態にすれば、ウィッグ受け部５１０は、その中央部位を頂点として上方へ指向するよう湾曲することになる。このとき、スリット部５４２，５４４にてＰＰの反発力を減じられるので、大きな力を要すことなく、接続状態にすることができる。
ウィッグ受け部５１０にかつらを載置する場合、クリップやピン（図示せず。）をストッパー受け部５５０に向けてかつらの表面から挿し込むようにすると、安定してかつらを留めておくことができる。このようにして安定載置されたかつらは、ストッパー受け部５５０が通気孔としても機能する。
【００５８】
上記実施形態によれば、前述第一及び第二の実施形態の効果に加え、ストッパー受け部が第二の実施形態より多種多様に設けられているので、かつらをあらゆる角度からピン留め、クリップ留め可能となり、さらに使い勝手の向上を図れるものである。
【００５９】
（第四の実施形態）
第四の実施形態につき、図１４乃至図１６を参照して説明する。本実施形態に係わるかつらスタンドのスタンド本体６００は、１枚の樹脂製シート、例えば厚さ０．７ｍｍ程度の反発性を有し折り曲げると強度が増す性質を有するポリプロピレン（ＰＰ）製のシートを折り曲げることにより組立てられるものである。即ち、図１４に示すように、スタンド本体６００を形成するＰＰ製シートは、内側中央部分に形成されたウィッグ受け部６１０と、このウィッグ受け部６１０の両端部６１０ａ，６１０ｂにて一体形成され当該ウィッグ受け部６１０を囲繞するよう設けられた台座部６２０とを有するものである。
【００６０】
而して、台座部６２０は、図１４中、右側部分が「コ」字状の形状である部分片６２２と、左側部分が逆「コ」字状の形状である部分片６２４とから形成されており、ウィッグ受け部６１０と一体的に形成された部位６２２ａ，６２４ａとは異なる部位６２２ｂ，６２４ｂ，６２２ｃ，６２４ｃ（図１４中、上部側及び下部側）に接続機構６３０，６３０が設けられている。
この接続機構６３０は、ホック部６３２，６３４及びホック受け部６３６，６３８を有し、隣接するホック部とホック受け部とが嵌合することにより接続状態になるよう構成してある。詳述すると、図１４中、右側部分を形成する部分片６２２の上部側にホック部６３２が設けられており、部分片６２２の下部側にホック受け部６３６が設けられている。また、左側部分を形成する部分片６２４の下部側にホック部６３４が設けられており、部分片６２４の上部側にホック受け部６３８が設けられている。隣接するホック部６３２とホック受け部６３８、ホック部６３４とホック受け部６３６とが夫々嵌合させることにより、台座部６２０の右側の部分片６２２と左側の部分片６２４とが接続状態になり、図１６に示すようにウィッグ受け部６１０は上方に指向するよう湾曲するよう構成されるものである。
【００６１】
また、ウィッグ受け部６１０と台座部６２０とが一体的に形成された部位６１０ａ，６２２ａ，６１０ｂ，６２４ａには、スリット部６４２，６４４が形成されている。即ち、ウィッグ受け部６１０の一端部６１０ａと部分片６２２との境界部位にはスリット部６４２が形成され、ウィッグ受け部６１０の他端部６１０ｂと部分片６２４との境界部位にはスリット部６４４が形成されている。このスリット部６４２，６４４は、０．７ｍｍ程度の厚さを有するＰＰ製シートを折り曲げる際に当該ＰＰの反発力を減じ、折り曲げ易くするために設けられたものである。なお、反発力が小さい素材（例えばダンボール、ボール紙）を用いる場合は、スリット部は必ずしも設けなくてもよい。
なお、ウィッグ受け部６１０には、他端部６１０ｂ側の周辺部近傍にストッパー受け部６５０が複数形成されている。このストッパー受け部６５０は、ウィッグ受け部６１０にかつらが載置された際、かつらの載置安定性を図るために使用されるクリップやピンを留めておくことができるようにするために形成されたものである。また、かつらへの通気性をよくするための通気孔としても機能するものである。
【００６２】
接続機構６３０にて接続状態にあるスタンド本体６００は、前述の図４乃至図７に示す直方体状のケース体２００，３００に収納される。このケース体２００，３００は前述同様の構成であるので、説明は省略する。
【００６３】
上記構成につき、その作用を以下に述べる。
【００６４】
スタンド本体６００の組立ては、接続機構６３０を接続状態にすればよい。即ち、隣接するホック部６３２とホック受け部６３８を、またホック部６３４とホック受け部６３６を、夫々ホック留めにより嵌合させることにより接続状態にすれば、ウィッグ受け部６１０は、その中央部位を頂点として上方へ指向するよう湾曲することになる。このとき、スリット部６４２，６４４にてＰＰの反発力を減じられるので、大きな力を要すことなく、接続状態にすることができる。
ウィッグ受け部６１０にかつらを載置する場合、クリップやピン（図示せず。）をストッパー受け部６５０に向けてかつらの表面から挿し込むようにすると、安定してかつらを留めておくことができる。このようにして安定載置されたかつらは、ストッパー受け部６５０が通気孔としても機能する。
【００６５】
上記実施形態によれば、前述第一及び第二の実施形態同様の効果を奏するものである。しかも、接続機構をホックを用いることで、より簡単にスタンド本体の組立て及び分解ができるようになるものである。
【００６６】
（第五の実施形態）
第五の実施形態につき、図１７乃至図１９を参照して説明する。本実施形態に係わるかつらスタンドのスタンド本体７００は、１枚の樹脂製シート、例えば厚さ０．７ｍｍ程度の反発性を有し折り曲げると強度が増す性質を有するポリプロピレン（ＰＰ）製のシートを折り曲げることにより組立てられるものである。即ち、図１７に示すように、スタンド本体７００を形成するＰＰ製シートは、内側中央部分に形成されたウィッグ受け部７１０と、このウィッグ受け部７１０の両端部７１０ａ，７１０ｂにて一体形成され当該ウィッグ受け部７１０を囲繞するよう設けられ外周部分が六角形状となる台座部７２０とを有するものである。
【００６７】
而して、台座部７２０は、図１７中、右側部分の内側部分が「コ」字状の形状である部分片７２２と、左側部分の内側部分が逆「コ」字状の形状である部分片７２４とから形成されており、ウィッグ受け部７１０と一体的に形成された部位７２２ａ，７２４ａとは異なる部位７２２ｂ，７２４ｂ，７２２ｃ，７２４ｃ（図１７中、上部側及び下部側）に接続機構７３０，７３０が設けられている。この接続機構７３０は、複数の切込み部７３２，７３４，７３６，７３８を有し、隣接する切込み部同士、即ち切込み部７３２と切込み部７３４、切込み部７３６と切込み部７３８が係合することにより接続状態になるよう構成されている。詳述すると、図１７中、右側部分を形成する台座部７２０の部分片７２２の上部側の切込み部７３２は、外側から内側に指向して切込みが形成されており、部分片７２２の下部側の切込み部７３６は、内側から外側に指向するよう切込みが形成されている。また、左側部分を形成する部分片７２４の上部側の切込み部７３４は、内側から外側に指向して切込みが形成されており、部分片７２４の下部側の切込み部７３８は、外側から内側に指向するよう切込みが形成されている。これらの切込み部７３２，７３４，７３６，７３８を夫々係合させることにより、台座部７２０の右側の部分片７２２と左側の部分片７２４とが接続状態になり、外周囲が六角形状を呈し、図１９に示すようにウィッグ受け部７１０は上方に指向して湾曲するよう構成されるものである。
【００６８】
また、ウィッグ受け部７１０と台座部７２０とが一体的に形成された部位７１０ａ，７２２ａ，７１０ｂ，７２４ａには、スリット部７４２，７４４が形成されている。即ち、ウィッグ受け部７１０の一端部７１０ａと部分片７２２との境界部位にはスリット部７４２が形成され、ウィッグ受け部７１０の他端部７１０ｂと部分片７２４との境界部位にはスリット部７４４が形成されている。このスリット部７４２，７４４は、０．７ｍｍ程度の厚さを有するＰＰ製シートを折り曲げる際に当該ＰＰの反発力を減じ、折り曲げ易くするために設けられたものである。なお、反発力が小さい素材（例えばダンボール、ボール紙）を用いる場合は、スリット部は必ずしも設けなくてもよい。
なお、ウィッグ受け部７１０には、他端部７１０ｂ側の周辺部近傍にストッパー受け部７５０が複数形成されている。このストッパー受け部７５０は、ウィッグ受け部７１０にかつらが載置された際、かつらの載置安定性を図るために使用されるクリップやピンを留めておくことができるようにするために形成されたものである。また、かつらへの通気性をよくするための通気孔としても機能するものである。
【００６９】
接続機構７３０にて接続状態にあるスタンド本体７００は、前述の図４乃至図７に示す直方体状のケース体２００，３００に収納されてもよいし、その底面が接続状態にあるスタンド本体７００の底面外周囲と同等の六角形となるような六角柱状のケース体に収納されてもよく、説明は省略する。
【００７０】
上記構成につき、その作用を以下に述べる。
【００７１】
スタンド本体７００の組立ては、接続機構７３０を接続状態にすればよい。即ち、隣接する切込み部７３２と切込み部７３４を、また切込み部７３６と切込み部７３８を、夫々係合させることにより接続状態にすれば、台座部７２０の外周囲が六角形状を呈し、ウィッグ受け部７１０がその中央部位を頂点として上方へ指向するよう湾曲することになる。このとき、スリット部７４２，７４４にてＰＰの反発力を減じられるので、大きな力を要すことなく、接続状態にすることができる。
ウィッグ受け部７１０にかつらを載置する場合、クリップやピン（図示せず。）をストッパー受け部７５０に向けてかつらの表面から挿し込むようにすると、安定してかつらを留めておくことができる。このようにして安定載置されたかつらは、ストッパー受け部７５０が通気孔としても機能する。
【００７２】
上記実施形態によれば、ケース体の形状にかかわらず前述第一及び第二の実施形態と同等の効果を奏するものである。
【００７３】
（第六の実施形態）
第六の実施形態につき、図２０乃至図２２を参照して説明する。本実施形態に係わるかつらスタンドのスタンド本体８００は、１枚の樹脂製シート、例えば厚さ０．７ｍｍ程度の反発性を有し折り曲げると強度が増す性質を有するポリプロピレン（ＰＰ）製のシートを折り曲げることにより組立てられるものである。即ち、図２０に示すように、スタンド本体８００を形成するＰＰ製シートは、内側中央部分に形成されたウィッグ受け部８１０と、このウィッグ受け部８１０の両端部８１０ａ，８１０ｂにて一体形成され当該ウィッグ受け部８１０を囲繞するよう設けられ外周部分が楕円形状となる台座部８２０とを有するものである。
【００７４】
而して、台座部８２０は、図２０中、右側部分の内側部分が「コ」字状の形状である部分片８２２と、左側部分の内側部分が逆「コ」字状の形状である部分片８２４とから形成されており、ウィッグ受け部８１０と一体的に形成された部位８２２ａ，８２４ａとは異なる部位８２２ｂ，８２４ｂ，８２２ｃ，８２４ｃ（図２０中、上部側及び下部側）に接続機構８３０，８３０が設けられている。この接続機構８３０は、複数の切込み部８３２，８３４，８３６，８３８を有し、隣接する切込み部同士、即ち切込み部８３２と切込み部８３４、切込み部８３６と切込み部８３８が係合することにより接続状態になるよう構成されている。詳述すると、図２０中、右側部分を形成する台座部８２０の部分片８２２の上部側の切込み部８３２は、外側から内側に指向して切込みが形成されており、部分片８２２の下部側の切込み部８３６は、内側から外側に指向するよう切込みが形成されている。また、左側部分を形成する部分片８２４の上部側の切込み部８３４は、内側から外側に指向して切込みが形成されており、部分片８２４の下部側の切込み部８３８は、外側から内側に指向するよう切込みが形成されている。これらの切込み部８３２，８３４，８３６，８３８を夫々係合させることにより、台座部８２０の右側の部分片８２２と左側の部分片８２４とが接続状態になり、外周囲が楕円形状を呈し、図２２に示すようにウィッグ受け部８１０は上方に指向するよう湾曲するよう構成されるものである。
【００７５】
また、ウィッグ受け部８１０と台座部８２０とが一体的に形成された部位８１０ａ，８２２ａ，８１０ｂ，８２４ａには、スリット部８４２，８４４が形成されている。即ち、ウィッグ受け部８１０の一端部８１０ａと部分片８２２との境界部位にはスリット部８４２が形成され、ウィッグ受け部８１０の他端部８１０ｂと部分片８２４との境界部位にはスリット部８４４が形成されている。このスリット部８４２，８４４は、０．７ｍｍ程度の厚さを有するＰＰ製シートを折り曲げる際に当該ＰＰの反発力を減じ、折り曲げ易くするために設けられたものである。なお、反発力が小さい素材（例えばダンボール、ボール紙）を用いる場合は、スリット部は必ずしも設けなくてもよい。
なお、ウィッグ受け部８１０には、他端部８１０ｂ側の周辺部近傍にストッパー受け部８５０が複数形成されている。このストッパー受け部８５０は、ウィッグ受け部８１０にかつらが載置された際、かつらの載置安定性を図るために使用されるクリップやピンを留めておくことができるようにするために形成されたものである。また、かつらへの通気性をよくするための通気孔としても機能するものである。
【００７６】
接続機構８３０にて接続状態にあるスタンド本体８００は、前述の図４乃至図７に示す直方体状のケース体２００，３００に収納されともよいし、その底面が接続状態にあるスタンド本体８００の底面外周囲と同等の楕円形となるような楕円柱状のケース体に収納されてもよく、説明は省略する。
【００７７】
上記構成につき、その作用を以下に述べる。
【００７８】
スタンド本体８００の組立ては、接続機構８３０を接続状態にすればよい。即ち、隣接する切込み部８３２と切込み部８３４を、また切込み部８３６と切込み部８３８を、夫々係合させることにより接続状態にすれば、台座部８２０の外周囲が楕円形状を呈し、ウィッグ受け部８１０がその中央部位を頂点として上方へ指向するよう湾曲することになる。このとき、スリット部８４２，８４４にてＰＰの反発力を減じられるので、大きな力を要すことなく、接続状態にすることができる。
ウィッグ受け部８１０にかつらを載置する場合、クリップやピン（図示せず。）をストッパー受け部８５０に向けてかつらの表面から挿し込むようにすると、安定してかつらを留めておくことができる。このようにして安定載置されたかつらは、ストッパー受け部８５０が通気孔としても機能する。
【００７９】
上記実施形態によれば、前述第五の実施形態同様にケース体の形状にかかわらず前述第一及び第二の実施形態と同等の効果を奏するものである。
【産業上の利用可能性】
【００８０】
本発明のかつらスタンドは、従来に比べて著しくシンプルな構造で頑丈なスタンドを実現することができ、しかも、例えば厚さが０．７ｍｍ程度の反発特性を有するＰＰ製の素材を使用することにより組立て分解性に優れ且つ製造コストを低減することができるので、かつらや帽子などの変形し易い収納物だけでなく、様々な対象物を収納するスタンドとして使用することができるため、今後ますます市場の拡大が期待できる。
【符号の説明】
【００８１】
１００                            スタンド本体
１１０                            ウィッグ受け部
１２０                            台座部
１３０                            接続機構
１３２，１３４，１３６，１３８    切込み部
１４２，１４４                    スリット部
２００                            ケース体
２１０                            蓋部
２１４ａ                          爪片受け部
２１６ａ                          爪片部
２２０                            側面部
２３０                            底面部
２３６ａ                          爪片受け部
２３８ａ                          爪片部
３００                            ケース体
３１０                            蓋部
３１４ａ                          爪片受け部
３１６ａ                          爪片部
３２０                            側面部
３３０                            底面部
３３６ａ                          爪片受け部
３３８ａ                          爪片部
４００                            スタンド本体
４１０                            ウィッグ受け部
４２０                            台座部
４３０                            接続機構
４３２，４３４，４３６，４３８    切込み部
４４２，４４４                    スリット部
４５０                            ストッパー受け部
５００                            スタンド本体
５１０                            ウィッグ受け部
５２０                            台座部
５３０                            接続機構
５３２，５３４，５３６，５３８    切込み部
５４２，５４４                    スリット部
５５０                            ストッパー受け部
６００                            スタンド本体
６１０                            ウィッグ受け部
６２０                            台座部
６３０                            接続機構
６３２，６３４                    ホック部
６３６，６３８                    ホック受け部
６４２，６４４                    スリット部
６５０                            ストッパー受け部
７００                            スタンド本体
７１０                            ウィッグ受け部
７２０                            台座部
７３０                            接続機構
７３２，７３４，７３６，７３８    切込み部
７４２，７４４                    スリット部
７５０                            ストッパー受け部
８００                            スタンド本体
８１０                            ウィッグ受け部
８２０                            台座部
８３０                            接続機構
８３２，８３４，８３６，８３８    切込み部
８４２，８４４                    スリット部
８５０                            ストッパー受け部
【図１】
0003182151.tif 000003
【図２】
0003182151.tif 000004
【図３】
0003182151.tif 000005
【図４】
0003182151.tif 000006
【図５】
0003182151.tif 000007
【図６】
0003182151.tif 000008
【図７】
0003182151.tif 000009
【図８】
0003182151.tif 000010
【図９】
0003182151.tif 000011
【図１０】
0003182151.tif 000012
【図１１】
0003182151.tif 000013
【図１２】
0003182151.tif 000014
【図１３】
0003182151.tif 000015
【図１４】
0003182151.tif 000016
【図１５】
0003182151.tif 000017
【図１６】
0003182151.tif 000018
【図１７】
0003182151.tif 000019
【図１８】
0003182151.tif 000020
【図１９】
0003182151.tif 000021
【図２０】
0003182151.tif 000022
【図２１】
0003182151.tif 000023
【図２２】
0003182151.tif 000024